(57)【要約】【課題】  確実に呼出音の鳴動の制限を設定し、子供または老人等が対応してもよい来客であることを判別することで防犯に寄与可能なインターホンシステムを提供する。【解決手段】  鳴動制御部２０５は、インターホン親機２を鳴動しない設定が為されている場合に、無線タグ情報登録部２０３に登録された無線タグ情報を無線タグ読み取り部１０２が読み取ったのちに呼出ボタン１０１が押下されたことを検知したならば、通知部２０２を起動し、無線タグ情報登録部２０３に登録された無線タグ情報を無線タグ読み取り部１０２が読み取らずに呼出ボタン１０１が押下されたことを検知したならば、通知部２０２を起動しない。【選択図】    図１
2017046202.tif 000002
【特許請求の範囲】
【請求項１】
インターホン子機とインターホン親機から成るインターホンシステムであって、
前記インターホン子機は、
前記インターホン親機を呼出すための呼出ボタンと、所定の個人を特定し認証するための個人認証情報を検知する個人認証情報検知手段と、を有し、
前記インターホン親機は、
前記呼出ボタンが押下されたか否かを検知する呼出ボタン押下検知手段と、前記呼出ボタン押下検知手段が前記呼出ボタンの押下を検知した場合に自インターホン親機の備える通知部を鳴動させて通知する呼出ボタン押下通知手段と、前記個人認証情報を登録する個人認証情報登録手段と、前記検知した個人認証情報と前記個人認証情報登録手段に登録された個人認証情報を照合する個人認証情報照合手段と、前記呼出ボタン押下通知手段による前記通知部の鳴動を制御する鳴動制御手段と、を有し、
前記鳴動可否制御手段は、自インターホン親機を鳴動しない設定が為されている場合に、
前記個人認証情報登録手段に登録された個人認証情報を前記個人認証情報検知手段が読み取り、前記呼出ボタンが押下されたことを検知したならば、前記呼出ボタン押下通知手段を起動し、
前記個人認証情報登録手段に登録された個人認証情報を前記個人認証情報検知手段が読み取らずに前記呼出ボタンが押下されたことを検知したならば、前記呼出ボタン押下通知手段を起動しないことを特徴とする個人認証情報と連動する鳴動機能を有するインターホンシステム。
【請求項２】
請求項１に記載のインターホンシステムであって、
前記インターホン子機は、前記呼出ボタンが押下された場合に押下者を撮像する撮像手段をさらに有し、
前記鳴動可否制御手段により自インターホン親機を鳴動しない設定が為されている場合に、前記個人認証情報登録手段に登録された個人認証情報を前記個人認証情報検知手段が読み取らずに前記呼出ボタンが押下されたことを検知したならば、前記撮像手段を起動することを特徴とする個人認証情報と連動する鳴動機能を有するインターホンシステム。
【請求項３】
請求項１および２に記載のインターホンシステムであって、
前記個人認証情報は所定の無線タグに書き込まれた無線タグ情報であることを特徴とする個人認証情報と連動する鳴動機能を有するインターホンシステム。
【発明の詳細な説明】
【技術分野】
【０００１】
本発明は、インターホン子機とインターホン親機から成るインターホンシステムに関する。
【背景技術】
【０００２】
従来のインターホンシステムにおいて、夜間の就寝時など、呼出音の鳴動を制限したいケースがある。これを改善するために、予め設定された時間帯には１度呼出ボタンを押下しても鳴動させず、緊急の場合等においては再度呼出ボタンを押下する事で呼出音を鳴動させる方法がある（例えば、特許文献１）。
また、呼出音の鳴動を制限したい他のケースとして、防犯のために子供または老人等が一人で留守番をしている時に、不要な来客（不審者・押し売り等）の対応をさせたくないという場合がある。
【０００３】
しかしながら、特許文献１の技術を不要な来客への対応をさせたくないという目的で適用した場合、２度呼出ボタンを押下する程度の操作はよくある事であり、誰でも意図的に呼出音を鳴動させる事が可能であるため、呼出音の鳴動を防ぐ事が出来ない。その場合、留守番をしている子供または老人等が不要な来客に対してドアを開けてしまう可能性がある。
【先行技術文献】
【特許文献】
【０００４】
【特許文献１】特開２０１０−２０００６７号公報
【発明の概要】
【発明が解決しようとする課題】
【０００５】
そこで、本発明の課題は、確実に呼出音の鳴動を制限することで、不要な来客対応を防ぐことが可能なインターホンシステムを提供する事にある。
【課題を解決するための手段】
【０００６】
上記課題を解決するために、本発明は、インターホン子機とインターホン親機から成るインターホンシステムであって、前記インターホン子機は、前記インターホン親機を呼出すための呼出ボタンと、所定の無線タグに書き込まれた無線タグ情報を読み取る無線タグ読み取り手段と、を有し、前記インターホン親機は、前記呼出ボタンが押下されたか否かを検知する呼出ボタン押下検知手段と、前記呼出ボタン押下検知手段が前記呼出ボタンの押下を検知した場合に自インターホン親機の備える通知部を鳴動させて通知する呼出ボタン押下通知手段と、前記無線タグ情報を登録する無線タグ情報登録手段と、前記読み取った無線タグ情報と前記無線タグ情報登録手段に登録された無線タグ情報を照合する無線タグ情報照合手段と、前記呼出ボタン押下通知手段による前記通知部の鳴動を制御する鳴動制御手段と、を有し、前記鳴動可否制御手段は、自インターホン親機を鳴動しない設定が為されている場合に、前記無線タグ情報登録手段に登録された無線タグ情報を前記無線タグ読み取り手段が読み取り、前記呼出ボタンが押下されたことを検知したならば、前記呼出ボタン押下通知手段を起動し、前記無線タグ情報登録手段に登録された無線タグ情報を前記無線タグ読み取り手段が読み取らずに前記呼出ボタンが押下されたことを検知したならば、前記呼出ボタン押下通知手段を起動しないことを特徴とする。
【発明の効果】
【０００７】
本発明によれば、確実に呼出音の鳴動を制限することで、不要な来客対応を防ぐことが可能なインターホンシステムを提供できる。また、予め登録された個人認証情報により鳴動の制限を解除することで、子供または老人等が対応を行っても良い来客を判別できるため、防犯にも寄与することが可能である。
【図面の簡単な説明】
【０００８】
【図１】本発明の実施形態に係るインターホンシステムのブロック構成図である。
【図２】本発明の実施形態に係るインターホン子機の動作フローチャート図である。
【図３】本発明の実施形態に係るインターホン親機の動作フローチャート図である。
【発明を実施するための形態】
【０００９】
以下、本発明の実施の形態について、図を用いて説明する。図１は、本発明の実施形態に係るインターホンシステムのブロック構成図である。
【００１０】
本実施形態において、インターホンシステムは、インターホン子機１と、インターホン親機２から構成され、無線タグ３をインターホン子機１が読み取る。無線タグ３は、パッシブ型無線タグを想定し、無線タグ情報として固有のＩＤ情報が書き込まれているものとして説明する。
【００１１】
インターホン子機１は、呼出ボタン１０１と、無線タグ読み取り部１０２と、カメラ１０３と、通話部１０４と、親機インタフェース部１０５で構成される。
【００１２】
呼出ボタン１０１は、インターホン親機２を呼出すためのボタンである。ボタンについては、物理ボタン、圧力・静電検知、タッチパネル等、特に方式は問わない。
【００１３】
無線タグ読み取り部１０２は、無線タグ３に書き込まれた無線タグ情報を読み取り、親機インタフェース部１０５を介してインターホン親機２へ無線タグ情報を渡す。呼出ボタン１０１と一体化していてもよい。
【００１４】
カメラ１０３は、呼出ボタン１０１が押下された場合に押下者を撮像し、親機インタフェース部１０５を介してインターホン親機２へ撮像した画像を渡す。本実施例においては静止画像を撮像するものとして記載しているが、動画像であってもよい。
【００１５】
通話部１０４は、親機インタフェース部１０５を介してインターホン親機２との通話を行う。
【００１６】
親機インタフェース部１０５は、インターホン親機２と接続するインタフェースである。インターホン親機２から送られるカメラ１０３および通話部１０４の起動指示と、呼出ボタン１０１を押下した際の呼出ボタン押下信号、無線タグ情報、撮像した画像の送信と、通話部１０４による通話音声の送受信を行う。
【００１７】
インターホン親機２は、呼出ボタン押下検知部２０１と、通知部２０２と、無線タグ情報登録部２０３と、無線タグ情報照合部２０４と、鳴動制御部２０５と、子機インタフェース部２０６と、操作部２０７と、通話部２０８と、制御部２０９と、カメラ画像記憶部２１０で構成される。
【００１８】
呼出ボタン押下検知部２０１は、インターホン子機１から受信した呼出ボタン押下信号を検知する。
【００１９】
通知部２０２は、呼出ボタン押下検知部２０１が呼出ボタン押下信号を検知した場合に、呼出ボタン１０１が押下された旨を鳴動または表示により通知する。
【００２０】
無線タグ情報登録部２０３は、無線タグ３に書き込まれた無線タグ情報を登録する。当該無線タグ情報は、登録作業により予め登録し、登録内容は固有の無線タグＩＤと無線タグを有する所有者の名称を登録する。
【００２１】
無線タグ情報照合部２０４は、読み取った無線タグ情報と無線タグ情報登録部２０３に登録された無線タグ情報を照合する。ここで、照合した無線タグに書き込まれた無線タグ情報が、予め登録された無線タグ情報と異なる場合は、読取り不可として扱うものとする。
【００２２】
鳴動制御部２０５は、通知部２０２の鳴動または表示を行うか否かを制御する。
【００２３】
子機インタフェース部２０６は、インターホン子機１と接続するインタフェースである。制御部２０９からインターホン子機１へ送られるカメラ１０３および通話部１０４の起動指示と、呼出ボタン押下信号、無線タグ情報、撮像した画像の受信と、通話部２０８による通話音声の送受信を行う。
【００２４】
操作部２０７は、インターホン親機２の操作を行う為のユーザーインタフェースである。
【００２５】
通話部２０８は、制御部２０９および子機インタフェース部２０６を介してインターホン親機２との通話を行う。
【００２６】
制御部２０９は、通知部２０２の鳴動または表示を停止する鳴動停止モードの設定を行う。また各部の制御およびインターホン子機１との通話制御を行う。ここで、本実施例においてはタイマ（図示しない）を備え、呼出ボタン押下信号を検知した場合にカウントを開始し、インターホン子機１から無線タグ３の無線タグ情報を受信したか否かを待ち、所定の時間が経過した後に受信しないならばタイムアウトとすることで待機状態へ移行するために使用する。
【００２７】
カメラ画像記憶部２１０は、インターホン子機１から送信されるカメラ１０３が撮像した画像を記憶する。
【００２８】
図２は、本発明の実施形態に係るインターホン子機の動作フローチャート図である。以下、図１を併用して本フローチャートを説明する。
【００２９】
本フローチャートは、インターホン子機１の電源を投入することによりスタートする。まず、インターホン子機１の呼出ボタン１０１が押下されたか否か（Ｓ２０１）、インターホン親機２から無線タグ読み取り部１０２の起動指示が到来したか否か（Ｓ２０２）、インターホン親機２から無線タグ読み取り部１０２を停止する旨の指示が到来したか否か（Ｓ２０３）の検知を繰り返し、これを待機状態とする（Ｓ２０１、ＮＯ）（Ｓ２０２、ＮＯ）（Ｓ２０３、ＮＯ）。
【００３０】
インターホン親機２から無線タグ読み取り部１０２の起動指示が到来した場合（Ｓ２０２、ＹＥＳ）、無線タグ読み取り部１０２を起動し（Ｓ２０５）、鳴動停止モードとして待機状態へ戻る。
【００３１】
また、インターホン親機２から無線タグ読み取り部１０２の停止指示が到来したならば（Ｓ２０３、ＹＥＳ）、無線タグ読み取り部１０２を停止し（Ｓ２０６）、鳴動停止モードを終了して待機状態へ戻る。
【００３２】
次に、インターホン子機１の呼出ボタン１０１が押下された場合（Ｓ２０１、ＹＥＳ）、インターホン親機２に呼出ボタン押下信号を送信する（Ｓ２０４）。
【００３３】
Ｓ２０４の後に、インターホン親機２から終了指示が到来したか否か（Ｓ２０７）、無線タグ読み取り部１０２が無線タグ３を検知したか否か（Ｓ２０８）、インターホン親機２からカメラ１０３を起動する旨の指示が到来したか否か（Ｓ２０９）、インターホン親機２から通話部１０４を起動する旨の指示が到来したか否か（Ｓ２１０）の検知を繰り返し、これを呼出ボタン１０１の押下後のインターホン親機２から到来する指示の待機状態とする（Ｓ２０７、ＮＯ）（Ｓ２０８、ＮＯ）（Ｓ２０９、ＮＯ）（Ｓ２１０、ＮＯ）。      
【００３４】
まず、無線タグ読み取り部１０２が無線タグ３を検知したならば（Ｓ２０８、ＹＥＳ）、無線タグ読み取り部１０２が読み取った無線タグ３の無線タグ情報をインターホン親機２に送信し（Ｓ２１２）、Ｓ２０９へ進み待機状態のループに復帰する。
【００３５】
また、インターホン親機２からカメラ１０３の起動指示が到来したならば（Ｓ２０９、ＹＥＳ）、カメラ１０３を起動して呼出ボタン１０１の押下者を撮像し、インターホン親機２へ撮像した画像の送信を開始し（Ｓ２１３）、Ｓ２１０へ進み待機状態のループに復帰する。
【００３６】
また、インターホン親機２から通話部１０４の起動指示が到来したならば（Ｓ２１０、ＹＥＳ）、通話部１０４を起動してインターホン親機２との通話を開始し（Ｓ２１４）、Ｓ２０７へ戻り待機状態のループに復帰する。
【００３７】
また、待機状態のループにおいて何らかの動作を行う、もしくは何も検知しない場合にインターホン親機２から終了指示が到来したならば（Ｓ２０７、ＹＥＳ）、カメラ１０３が起動していればインターホン親機２へ撮像した画像の送信を終了し、もしくは通話部１０４が起動していればインターホン親機２との通話を終話し（Ｓ２１１）、Ｓ２０１の待機状態へ戻る。
【００３８】
図３は、本発明の実施形態に係るインターホン親機２の動作フローチャート図である。以下、図１を併用して本フローチャートを説明する。
【００３９】
本フローチャートは、インターホン親機２の電源を投入することによりスタートする。まず、呼出ボタン押下検知部２０１がインターホン子機１から到来するボタン押下信号を検知したか否か（Ｓ３０１）、操作部２０７から鳴動停止モードを設定する旨の操作を検知したか否か（Ｓ３０２）、操作部２０７から無線タグ登録モードを設定する旨の操作を検知したか否か（Ｓ３０３）、操作部２０７から鳴動停止モードを解除する旨の操作を検知したか否か（Ｓ３０４）を繰り返し、これを待機状態とする（Ｓ３０１、ＮＯ）（Ｓ３０２、ＮＯ）（Ｓ３０３、ＮＯ）（Ｓ３０４、ＮＯ）。
【００４０】
操作部２０７から鳴動停止モードの設定操作を検知した場合（Ｓ３０２、ＹＥＳ）、無線タグ読み取り部１０２の起動を指示し（Ｓ３０５）、鳴動制御部２０５に鳴動停止モードの設定を指示し（Ｓ３０６）、待機状態へ戻る。
【００４１】
または、操作部２０７から無線タグ登録モードの設定操作を検知した場合（Ｓ３０３、ＹＥＳ）、インターホン子機１の無線タグ読み取り部１０２に起動を指示し、無線タグ３から読み取った無線タグ情報を登録する（Ｓ３０７）。
【００４２】
さらに、操作部２０７から鳴動停止モードの解除操作を検知したならば（Ｓ３０４、ＹＥＳ）、インターホン子機１の無線タグ読み取り部１０２に停止を指示し、鳴動制御部２０５に鳴動停止モードの解除を指示し（Ｓ３０８）、待機状態へ戻る。
【００４３】
呼出ボタン押下検知部２０１がインターホン子機１から到来するボタン押下信号を検知した場合（Ｓ３０１、ＹＥＳ）、制御部２０９が備えるタイマ（図示しない）を起動し（Ｓ３０９）、次に現在鳴動停止モードの設定が為されているか否かを判定する（Ｓ３１０）。ここで、タイマとは呼出ボタンの押下から未応答の場合に自動的に処理を終了し、待機状態に戻すためのものである。
【００４４】
鳴動停止モードの設定が為されていない場合は（Ｓ３１０、ＮＯ）、Ｓ３０９で起動したタイマを更新し、通常モードとして通知部２０２を鳴動させ（Ｓ３１５）、操作部２０７より応答する旨の操作が為されたならば（Ｓ３１７、ＹＥＳ）、Ｓ３１５で起動したタイマを再び更新し、通話部２０８を起動してインターホン子機１との通話を開始する（Ｓ３１８）。そして通話が終了したことを検知したならば（Ｓ３２０、ＹＥＳ）、Ｓ３２１へ進む。
【００４５】
また、操作部２０７より応答する旨の操作が為されない場合（Ｓ３１７、ＮＯ）、Ｓ３１５で更新されたタイマが満了したか否かを判定し（Ｓ３１６）、タイムアウトしたならば（Ｓ３１６、ＹＥＳ）、Ｓ３２１へ進む。もしくは通話が終了したことを検知しない場合（Ｓ３２０、ＮＯ）、Ｓ３１８で更新されたタイマが満了したか否かを判定し（Ｓ３１９）、タイムアウトしたならば（Ｓ３１９、ＹＥＳ）、Ｓ３２１へ進む。
【００４６】
鳴動停止モードの設定が為されている場合は（Ｓ３１０、ＹＥＳ）、インターホン子機１から無線タグ情報登録部２０３に登録された無線タグ情報と一致する無線タグ情報を受信したか否かを判定する（Ｓ３１１）。
【００４７】
インターホン子機１から無線タグ情報登録部２０３に登録された無線タグ情報と一致する無線タグ情報を受信したならば（Ｓ３１１、ＹＥＳ）、Ｓ３１５に進み、通常モードと同様の処理を行う。
【００４８】
インターホン子機１から無線タグ情報登録部２０３に登録された無線タグ情報と一致する無線タグ情報を受信しない場合は（Ｓ３１１、ＮＯ）、インターホン子機１のカメラ１０３に起動を指示する（Ｓ３１２）。
【００４９】
次に、インターホン子機１が撮像した画像を受信し、カメラ画像記憶部２１０に保存を開始する（Ｓ３１３）。
【００５０】
次に、Ｓ３０９で起動したタイマが満了したか否かを判定し（Ｓ３１４）、タイムアウトしていない場合はＳ３１１へ戻り（Ｓ３１４、ＮＯ）、タイムアウトしたならば（Ｓ３１４、ＹＥＳ）、Ｓ３２１へ進む。
【００５１】
最後に、通話部２０８が起動していればインターホン子機１との通話を終話し、もしくはカメラ画像記憶部２１０がインターホン子機１の撮像した画像の保存を実行していれば終了し、インターホン子機１へ処理の終了を指示して（Ｓ３２１）、Ｓ３０１の待機状態へ戻る。
【００５２】
以上、本発明の実施形態について上記の通り説明したが、本発明はこれに限定されない。
【００５３】
例えば、インターホン親機２は、電話機またはＰＣ等の通信機器として構成、または接続されていてもよい。その場合は、外部への接続回線（電話網またはインターネット）を経由し、無線タグ３の所持者にカメラ１０３が撮像した画像を送信することで外出先でも来訪者の確認をすることが可能となる。
【００５４】
また、無線タグ３は、無線タグ自体をキーホルダーのようにする、またはシール状にして所持品に貼り付ける、または携帯電話・スマートフォンが有するＲＦＩＤを利用してもよい。
【００５５】
また、無線タグ３は、本実施例においてはパッシブ型の無線タグを想定して説明するが、本発明はその限りではない。アクティブ型の無線タグを採用し、無線タグを有する人が本発明のインターホン子機１の近傍にいる旨を通知部２０２から通知することで、安心して来客対応をできる人物が帰宅した旨を確認する事が出来る。さらにそれを契機にして鳴動停止モードを解除するようにしてもよい。
【００５６】
また、インターホン親機２に無線タグ読み取り部を設け、無線タグ３を読み込ませることにより鳴動停止モードを起動してもよい。
【００５７】
また、本発明は説明を簡易にするために無線タグを利用して許可された人物を特定しているが、個人を認証できるものであれば無線タグに限定されない。例えば、無線タグ読み取り部１０２および無線タグ情報照合部２０４をそれぞれ指紋読み取り部、指紋認証部に置き換えれば、生体認証を用いることが可能である。さらに、インターホン子機１から音声もしくは文字入力による特定のキーワードを用いて認証しても良い。さらに、呼出ボタン１０１の押下パターンによる認証を行うようにしても良い。
【００５８】
また、本発明のインターホンシステムを電子錠システムと連携させて、無線タグ３自体を電子鍵とする、もしくは無線タグ３の所持者の確認をもって開錠するようにしてもよい。
【符号の説明】
【００５９】
１    ・・・インターホン子機
１０１・・・呼出ボタン
１０２・・・無線タグ読み取り部
１０３・・・カメラ
１０４・・・通話部
１０５・・・親機インタフェース部
２    ・・・インターホン親機
２０１・・・呼出ボタン押下検知部
２０２・・・通知部
２０３・・・無線タグ情報登録部
２０４・・・無線タグ情報照合部
２０５・・・鳴動可否制御部
２０６・・・子機インタフェース部
２０７・・・操作部
２０８・・・通話部
２０９・・・制御部
２１０・・・カメラ画像記憶部
３    ・・・無線タグ
【図１】
2017046202.tif 000003
【図２】
2017046202.tif 000004
【図３】
2017046202.tif 000005